(57)【特許請求の範囲】
【請求項１】
マルチ周波のプローブ電流を各周波数毎に順次生成し、生成された周波のプローブ電流を被験者の体に投入して、その際に生体に印加される電圧及び生体に流れる電流を測定する生体電気量測定手段と、
該生体電気量測定手段からの測定結果に基づいて、前記被験者の体の周波数０時及び周波数無限大時の電気アドミッタンス又は電気インピーダンスを算出する電気アドミッタンス／電気インピーダンス算出手段と、
式（１０）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴とする身体組成推計装置。
ＬＥＡＮ＝ａ1Ｙ（０）Ｈ2＋ｂ1Ｙ（∞）Ｈ2＋ｃ1Ｗ＋ｄ1  …（１０）
ＬＥＡＮ：被験者の体の除骨重量・脂肪重量
Ｙ（０）：周波数０時の電気アドミッタンス（電気インピーダンスの逆数）
Ｙ（∞）：周波数無限大時の電気アドミッタンス（電気インピーダンスの逆数）
Ｈ：被験者の身長
Ｗ：被験者の体重
ａ1,ｂ1,ｃ1,ｄ1：定数
【請求項２】
式（１０）の代わりに、式（１１）を用いて、「前記被験者の体重から脂肪重量及び骨重量を除いた重量」であると定義される除骨重量・脂肪重量ＬＥＡＮを推計する除骨重量・脂肪重量推計手段を備えてなることを特徴とする請求項１記載の身体組成推計装置。
ＬＥＡＮ＝ａ2Ｙ（０）Ｈ2＋ｂ2Ｙ（∞）Ｈ2＋ｃ2ＳＥＸ＋ｄ2  …（１１）
ＬＥＡＮ：被験者の体の除骨重量・脂肪重量
Ｙ（０）：周波数０時の電気アドミッタンス（電気インピーダンスの逆数）
Ｙ（∞）：周波数無限大時の電気アドミッタンス（電気インピーダンスの逆数）
Ｈ：被験者の身長
ＳＥＸ：被験者の性別（男性のときＳＥＸ＝１とし、女性のときＳＥＸ＝２とする）
ａ2,ｂ2,ｃ2,ｄ2：定数
【請求項３】
式（１０）の代わりに、式（１２）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴とする請求項１記載の身体組成推計装置。
ＬＥＡＮ＝ａ3Ｙ（０）Ｈ2＋ｂ3Ｙ（∞）Ｈ2＋ｃ3Ｈ3＋ｄ3Ｗ＋ｅ3  …（１２）
ＬＥＡＮ：被験者の体の除骨重量・脂肪重量
Ｙ（０）：周波数０時の電気アドミッタンス（電気インピーダンスの逆数）
Ｙ（∞）：周波数無限大時の電気アドミッタンス（電気インピーダンスの逆数）
Ｈ：被験者の身長
Ｗ：被験者の体重
ａ3,ｂ3,ｃ3,ｄ3,ｅ3：定数
【請求項４】
式（１０）の代わりに、式（１３）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴とする請求項１記載の身体組成推計装置。
ＬＥＡＮ＝ａ4Ｙ（０）Ｈ2＋ｂ4Ｙ（∞）Ｈ2＋ｃ4Ｈ3＋ｄ4ＳＥＸ＋ｅ4 …（１３）
ＬＥＡＮ：被験者の体の除骨重量・脂肪重量
Ｙ（０）：周波数０時の電気アドミッタンス（電気インピーダンスの逆数）
Ｙ（∞）：周波数無限大時の電気アドミッタンス（電気インピーダンスの逆数）
Ｈ：被験者の身長
ＳＥＸ：被験者の性別（男性のときＳＥＸ＝１とし、女性のときＳＥＸ＝２とする）
ａ4,ｂ4,ｃ4,ｄ4,ｅ4：定数
【請求項５】
式（１０）の代わりに、式（１４）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴とする請求項１記載の身体組成推計装置。
ＬＥＡＮ＝ａ5Ｙ（０）Ｈ2＋ｂ5Ｙ（∞）Ｈ2＋ｃ5Ｗ＋ｄ5ＳＥＸ＋ｅ5  …（１４）
ＬＥＡＮ：被験者の体の除骨重量・脂肪重量
Ｙ（０）：周波数０時の電気アドミッタンス（電気インピーダンスの逆数）
Ｙ（∞）：周波数無限大時の電気アドミッタンス（電気インピーダンスの逆数）
Ｈ：被験者の身長
Ｗ：被験者の体重
ＳＥＸ：被験者の性別（男性のときＳＥＸ＝１とし、女性のときＳＥＸ＝２とする）
ａ5,ｂ5,ｃ5,ｄ5,ｅ5：定数
【請求項６】
式（１０）の代わりに、式（１５）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴とする請求項１記載の身体組成推計装置。
ＬＥＡＮ＝ａ6Ｙ（０）Ｈ2＋ｂ6Ｙ（∞）Ｈ2＋ｃ6Ｈ3＋ｄ6Ｗ＋ｅ6ＳＥＸ＋ｆ6  …（１５）
ＬＥＡＮ：被験者の体の除骨重量・脂肪重量
Ｙ（０）：周波数０時の電気アドミッタンス（電気インピーダンスの逆数）
Ｙ（∞）：周波数無限大時の電気アドミッタンス（電気インピーダンスの逆数）
Ｈ：被験者の身長
Ｗ：被験者の体重
ＳＥＸ：被験者の性別（男性のときＳＥＸ＝１とし、女性のときＳＥＸ＝２とする）
ａ6,ｂ6,ｃ6,ｄ6,ｅ6,ｆ6：定数
【請求項７】
電気アドミッタンス／電気インピーダンス算出手段は、測定された各周波数毎の電気インピーダンス又は電気アドミッタンスに基づいて、最小二乗法の演算手法を駆使して、周波数０時及び周波数無限大時の電気アドミッタンス又は電気インピーダンスにまで外挿されたインピーダンス軌跡又はアドミッタンス軌跡を求め、求められた該インピーダンス軌跡又はアドミッタンス軌跡から、前記被験者の体の周波数０時及び周波数無限大時の電気アドミッタンス又は電気インピーダンスを算出することを特徴とする請求項１記載の身体組成推計装置。
【請求項８】
前記生体電気量測定手段は、電気アドミッタンス／電気インピーダンス算出手段は、１つが５ｋＨｚ以下の低周波で、他が２００ｋＨｚ以上の高周波である２周波のプローブ電流を各周波数毎に順次生成し、生成された前記プローブ電流を被験者の体に投入して、その際に生体に印加されるプローブ電圧及び生体を流れるプローブ電流を各周波数毎に測定するものであり、
前記電気アドミッタンス／電気インピーダンス測定手段は、前記測定結果に基づいて、前記低周波及び高周波の電気インピーダンス又は電気アドミッタンスを算出し、算出された前記低周波の電気インピーダンス又は電気アドミッタンスを、前記被験者の体の周波数０時の電気アドミッタンス又は電気インピーダンスであるとみなすと共に、算出された前記高周波の電気インピーダンス又は電気アドミッタンスを、前記被験者の体の周波数無限大時の電気アドミッタンス又は電気インピーダンスであるとみなすものであることを特徴とする請求項１記載の身体組成推計装置。
【請求項９】
前記被験者の除骨重量・脂肪重量ＬＥＡＮを与える式（１０）を構成する前記定数ａ1,ｂ1,ｃ1として、
男性に対しては、ａ1＝７４．１９±２０％、ｂ1＝２６６．３２±２０％、ｃ1＝０．２４±２０％が与えられ、
女性に対しては、ａ1＝１８０．５４±２０％、ｂ1＝１９８．８９±２０％、ｃ1＝０．０９９±２０％が与えられ、かつ、
前記定数ｄ1 は、式（１０）の左辺の平均値と、式（１０）の右辺の第１項乃至第３項の和の平均値との差から求められることを特徴とする請求項１記載の身体組成推計装置。
【請求項１０】
前記被験者の除骨重量・脂肪重量ＬＥＡＮを与える式（１１）を構成する前記定数ａ2,ｂ2,ｃ2として、
６０歳未満の人に対しては、ａ2＝５００．８２±２０％、ｂ2＝−５０５９．８８±２０％、ｃ2＝０．１６±２０％が与えられ、
６０歳以上の人に対しては、ａ2＝４０９．５５±２０％、ｂ2＝−５５３２．３１±２０％、ｃ2＝０．１５±２０％が与えられ、かつ、
前記定数ｄ2 は、式（１１）の左辺の平均値と、式（１１）の右辺の第１項乃至第３項の和の平均値との差から求められることを特徴とする請求項２記載の身体組成推計装置。
【請求項１１】
前記被験者の除骨重量・脂肪重量ＬＥＡＮを与える式（１２）を構成する前記定数ａ3,ｂ3,ｃ3,ｄ3として、
男性に対しては、ａ3 ＝９１．０３±２０％、ｂ3 ＝２２７．３９±２０％、ｃ3 ＝０．００２４±２０％、ｄ3 ＝０．２０±２０％が与えられ、
女性に対しては、ａ3＝１５７．３８±２０％、ｂ3＝１２１．７９±２０％、ｃ3＝０．００３±２０％、ｄ3＝０．０９９±２０％が与えられ、かつ、
前記定数ｅ3 は、式（１２）の左辺の平均値と、式（１２）の右辺の第１項乃至第４項の和の平均値との差から求められることを特徴とする請求項３記載の身体組成推計装置。
【請求項１２】
前記被験者の除骨重量・脂肪重量ＬＥＡＮを与える式（１３）を構成する前記定数ａ4,ｂ4,ｃ4,ｄ4は、
ａ4＝９８．５１±２０％、ｂ4＝２６１．７０±２０％、ｃ4＝０．００２８±２０％、ｄ4＝−３３２３．８６±２０％が与えられ、かつ、
前記定数ｅ4 は、式（１３）の左辺の平均値と、式（１３）の右辺の第１項乃至第４項の和の平均値との差から求められることを特徴とする請求項４記載の身体組成推計装置。
【請求項１３】
前記被験者の除骨重量・脂肪重量ＬＥＡＮを与える式（１４）を構成する前記定数ａ5,ｂ5,ｃ5,ｄ5は、
ａ5＝８５．４９±２０％、ｂ5＝２６９．０３±２０％、ｃ5＝０．１２６±２０％、ｄ5＝−４６２８．７７±２０％が与えられ、かつ、
前記定数ｅ5 は、式（１４）の左辺の平均値と、式（１４）の右辺の第１項乃至第４項の和の平均値との差から求められることを特徴とする請求項５記載の身体組成推計装置。
【請求項１４】
前記被験者の除骨重量・脂肪重量ＬＥＡＮを与える式（１５）を構成する前記定数ａ6,ｂ6,ｃ6,ｄ6,ｅ6は、
ａ6＝６８．１２±２０％、ｂ6＝２２０．４４±２０％、ｃ6＝０．００２６±２０％、ｄ6＝０．１１±２０％、ｅ6＝−３７７９．４８±２０％が与えられ、かつ、
前記定数ｆ6 は、式（１５）の左辺の平均値と、式（１５）の右辺の第１項乃至第５項の和の平均値との差から求められることを特徴とする請求項６記載の身体組成推計装置。
【請求項１５】
式（１０）乃至式（１５）のいずれか１の式に基づいて、前記除骨重量・脂肪重量ＬＥＡＮを推計すると共に、式（１６）に基づいて、前記被験者の骨重量ＢＭＣを推計した後、前記被験者の体重と、式（１０）乃至（１５）のいずれか１の式から得られた前記除骨重量・脂肪重量ＬＥＡＮと、式（１６）から得られた前記骨重量ＢＭＣとに基づいて前記被験者の脂肪重量又は体脂肪率を推計することを特徴とする請求項１〜６のいずれか１項記載の身体組成推計装置。
ＢＭＣ＝ｇ1ＡＧＥ＋ｈ1Ｈ＋ｉ1Ｗ＋ｊ1  …（１６）
ＢＭＣ：被験者の骨重量
ＡＧＥ：被験者の年齢
Ｈ：被験者の身長
Ｗ：被験者の体重
ｇ1,ｈ1,ｉ1,ｊ1：定数
【請求項１６】
式（１０）乃至（１５）のいずれか１の式に基づいて、前記除骨重量・脂肪重量ＬＥＡＮを推計すると共に、式（１７）に基づいて、前記被験者の骨重量ＢＭＣを推計した後、前記被験者の体重と、式（１０）乃至（１５）のいずれか１の式から得られた前記除骨重量・脂肪重量ＬＥＡＮと、式（１７）から得られた前記骨重量ＢＭＣとに基づいて前記被験者の脂肪重量又は体脂肪率を推計することを特徴とする請求項１〜６のいずれか１項記載の身体組成推計装置。
ＢＭＣ＝ｈ2Ｈ＋ｉ2Ｗ＋ｊ2ＳＥＸ＋ｋ2  …（１７）
ＢＭＣ：被験者の骨重量
Ｈ：被験者の身長
Ｗ：被験者の体重
ＳＥＸ：被験者の性別（男性のときＳＥＸ＝１とし、女性のときＳＥＸ＝２とする）
ｈ2,ｉ2,ｊ2,ｋ2：定数
【請求項１７】
式（１０）乃至（１５）のいずれか１の式に基づいて、前記除骨重量・脂肪重量ＬＥＡＮを推計すると共に、式（１８）に基づいて、前記被験者の骨重量ＢＭＣを推計した後、前記被験者の体重と、式（１０）乃至（１５）のいずれか１の式から得られた前記除骨重量・脂肪重量ＬＥＡＮと、式（１８）から得られた前記骨重量ＢＭＣとに基づいて前記被験者の脂肪重量又は体脂肪率を推計することを特徴とする請求項１〜６のいずれか１項記載の身体組成推計装置。
ＢＭＣ＝ｇ3ＡＧＥ＋ｈ3Ｈ＋ｉ3Ｗ＋ｊ3ＳＥＸ＋ｋ3  …（１８）
ＢＭＣ：被験者の骨重量
ＡＧＥ：被験者の年齢
Ｈ：被験者の身長
Ｗ：被験者の体重
ＳＥＸ：被験者の性別（男性のときＳＥＸ＝１とし、女性のときＳＥＸ＝２とする）
ｇ3,ｈ3,ｉ3,ｊ3,ｋ3：定数
【請求項１８】
前記被験者の骨重量ＢＭＣを与える式（１６）を構成する前記定数ｇ1,ｈ1,ｉ1として、
男性に対しては、ｇ1＝２．１３±２０％、ｈ1＝２２．６５±２０％、ｉ1＝４６．１１±２０％で与えられ、
女性に対しては、ｇ1＝−１１．３７±２０％、ｈ1＝２１．０３±２０％、ｉ1＝２０．９８±２０％で与えられ、かつ、
前記定数ｊ1は、式（１６）の左辺の平均値と、右辺の第１項乃至第３項の和の平均値との差から求めたものであることを特徴とする請求項１５記載の身体組成推計装置。
【請求項１９】
前記被験者の骨重量ＢＭＣを与える式（１７）を構成する前記定数ｈ2,ｉ2,ｊ2として、
６０歳未満の人に対しては、ｈ2＝３６．７±２０％、ｉ2＝０．０２６±２０％、ｊ2＝１０５．６６±２０％で与えられ、
６０歳以上の人に対しては、ｈ2＝１７．６５±２０％、ｉ2＝０．０３７±２０％、ｊ2＝−２６２．６２±２０％で与えられ、かつ、
前記定数ｋ2は、式（１７）の左辺の平均値と、右辺の第１項乃至第３項の和の平均値との差から求めたものであることを特徴とする請求項１６記載の身体組成推計装置。
【請求項２０】
前記被験者の骨重量ＢＭＣを与える式（１８）を構成する前記定数ｇ3,ｈ3,ｉ3,ｊ3は、
ｇ3＝−７．３３±２０％、ｈ3＝２３．４８±２０％、ｉ3 ＝２６．１４±２０％、ｊ3＝−６２．０５±２０％で与えられ、かつ、
前記定数ｋ3 は、式（１８）の左辺の平均値と、右辺の第１項乃至第４項の和の平均値との差から求めたものであることを特徴とする請求項１７記載の身体組成推計装置。
【発明の詳細な説明】
【０００１】
【発明の属する技術分野】
この発明は、生体電気インピーダンス法に基づいて、被験者の体脂肪の状態、すなわち、除骨重量・脂肪重量、脂肪重量、体脂肪率等を推計するための身体組成推計装置に関する。
【０００２】
【従来の技術】
人間の除脂肪重量ＬＢＭ、脂肪重量ＦＡＴ等の精密な測定は、主として、二重エネルギＸ線吸収法（Dual energy X-ray Absorptiometry、以下、簡単に、ＤＸＡという）等に代表されるＸ線を使用する測定装置を用いたり、あるいは水中体重法により行われるが、Ｘ線による測定では、装置が大がかりになる上、被爆の虞れがある。また、水中体重法では、浴槽内に被験者が入らねばならず、大変煩雑である。
【０００３】
そこで、無被爆下で取り扱える簡易な装置として、生体電気インピーダンス（Bioelectric Impedance）法を利用する身体組成推計装置が普及してきている。この生体電気インピーダンス法では、生体の電気特性が、組織又は臓器の種類によって著しく異なっており、例えば、ヒトの場合、血液の電気抵抗率は１５０Ω・ｃｍ前後であるのに対して、骨や脂肪の電気抵抗率は１〜５ｋΩ・ｃｍもあることが、利用される。
【０００４】
生体電気インピーダンスは、生体中のイオンによって搬送される電流に対する生体の抵抗（レジスタンス）と、細胞膜、組織界面、あるいは非イオン化組織によって作り出される様々な種類の分極プロセスと関連したリアクタンスとから構成される。
細胞１，１，…は、図１８に示すように、細胞膜２，２，…によって取り囲まれて成り立っており、この細胞膜２，２，…は、電気的には容量（キャパシタンス）の大きなコンデンサと見ることができる。したがって、生体電気インピーダンスは、図１９に示すように、細胞外液抵抗１／Ｙeのみからなる細胞外液インピーダンスと、細胞内液抵抗１／Ｙiと細胞膜容量Ｃmとの直列接続からなる細胞内液インピーダンスとの並列合成インピーダンスと考えることができる。
ところで、このような身体組成推計装置では、手足の表面電極間に流すべき正弦波交流電流の周波数を、電気位相角φが最大になる時の周波数（特性周波数）である略５０ｋＨｚに固定した状態で、被験者の生体電気インピーダンスを測定する構成となっているため、細胞外液抵抗１／Ｙeと、細胞内液抵抗１／Ｙiとを分離して求めることができず、細胞外液インピーダンスと細胞内液インピーダンスとの並列合成インピーダンスに基づいて、しかも、細胞膜の容量成分を含んだ生体電気インピーダンスに基づいて、被験者の体脂肪の状態を推計していたため、除脂肪重量ＬＢＭ、脂肪重量ＦＡＴ等の推計精度が余り良くない、という欠点があった。
【０００５】
この欠点を解消する手段として、マルチ周波のプローブ電流を生成し、生成しマルチ周波のプローブ電流を被験者の体に投入し、その際の電流及び被験者の被電圧測定表面部位間の電圧を測定し、該被験者の生体電気インピーダンスを測定することにより、細胞外液抵抗１／Ｙe と、細胞内液抵抗１／Ｙi とを（細胞膜容量Ｃｍを含まない）純粋な抵抗値として求め、求められた細胞外液抵抗１／Ｙeと細胞内液抵抗１／Ｙiとに基づいて、被験者の体脂肪の状態を推計する身体組成推計装置が提供されている（この出願人の出願に係る特願平８−１７６４４８号等参照）。
【０００６】
【発明が解決しようとする課題】
しかしながら、上記出願に係るマルチ周数インピーダンス法によれば、単一周波数（５０ｋＨｚ）を用いたインピーダンス法に較べて明らかに推計精度の向上が認められ、マルチ周数インピーダンス法により推計された脂肪重量とＤＸＡで測定した脂肪重量との相関係数が０．９１８と高いものの、体重から除脂肪重量の差をとる体脂肪量等の算出には、これで、充分であるとはいえない。
【０００７】
この発明は、上述の事情に鑑みてなされたもので、除骨重量・脂肪重量を正確に推計できるようにして、脂肪重量及び体脂肪率の推計精度の向上を図ることのできる身体組成推計方法及びその装置、並びに身体組成推計プログラムを記憶した記録媒体を提供することを第１の目的としている。
また、この発明は、除骨重量・脂肪重量を正確に推計し、骨重量も推計できるようにして、脂肪重量及び体脂肪率の推計精度の向上を図ることのできる身体組成推計方法及びその装置、並びに身体組成推計プログラムを記憶した記録媒体を提供することを第２の目的としている。
【０００８】
【課題を解決するための手段】
【００３４】
請求項１記載の発明は、身体組成推計装置に係り、マルチ周波のプローブ電流を各周波数毎に順次生成し、生成された周波のプローブ電流を被験者の体に投入して、その際に生体に印加される電圧及び生体に流れる電流を測定する生体電気量測定手段と、該生体電気量測定手段からの測定結果に基づいて、前記被験者の体の周波数０時及び周波数無限大時の電気アドミッタンス又は電気インピーダンスを算出する電気アドミッタンス／電気インピーダンス算出手段と、式（２８）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴としている。
【００３５】
【数２８】
ＬＥＡＮ＝ａ1Ｙ（０）Ｈ2＋ｂ1Ｙ（∞）Ｈ2＋ｃ1Ｗ＋ｄ1    …（２８）
ａ1,ｂ1,ｃ1,ｄ1：定数
【００３６】
請求項２記載の発明は、請求項１記載の身体組成推計装置に係り、式（２８）の代わりに、式（２９）を用いて、「前記被験者の体重から脂肪重量及び骨重量を除いた重量」であると定義される除骨重量・脂肪重量ＬＥＡＮを推計する除骨重量・脂肪重量推計手段を備えてなることを特徴としている。
【００３７】
【数２９】
0003819611.tif 000002
ａ2,ｂ2,ｃ2,ｄ2：定数
【００３８】
請求項３記載の発明は、請求項１記載の身体組成推計装置に係り、式（２８）の代わりに、式（３０）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴としている。
【００３９】
【数３０】
0003819611.tif 000003
ａ3,ｂ3,ｃ3,ｄ3,ｅ3：定数
【００４０】
請求項４記載の発明は、請求項１記載の身体組成推計装置に係り、式（２８）の代わりに、式（３１）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴としている。
【００４１】
【数３１】
0003819611.tif 000004
ａ4,ｂ4,ｃ4,ｄ4,ｅ4：定数
【００４２】
請求項５記載の発明は、請求項１記載の身体組成推計装置に係り、式（２８）の代わりに、式（３２）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴としている。
【００４３】
【数３２】
0003819611.tif 000005
ａ5,ｂ5,ｃ5,ｄ5,ｅ5：定数
【００４４】
請求項６記載の発明は、請求項１記載の身体組成推計装置に係り、式（２８）の代わりに、式（３３）を用いて、「前記被験者の体重から脂肪重量及び骨重量を除いた重量」であると定義される除骨重量・脂肪重量ＬＥＡＮを推計する除骨重量・脂肪重量推計手段とを備えてなることを特徴としている。
【００４５】
【数３３】
0003819611.tif 000006
ａ6,ｂ6,ｃ6,ｄ6,ｅ6,ｆ6：定数
【００４６】
請求項７記載の発明は、請求項１記載の身体組成推計装置に係り、電気アドミッタンス／電気インピーダンス算出手段は、測定された各周波数毎の電気インピーダンス又は電気アドミッタンスに基づいて、最小二乗法の演算手法を駆使して、周波数０時及び周波数無限大時の電気アドミッタンス又は電気インピーダンスにまで外挿されたインピーダンス軌跡又はアドミッタンス軌跡を求め、求められた該インピーダンス軌跡又はアドミッタンス軌跡から、前記被験者の体の周波数０時及び周波数無限大時の電気アドミッタンス又は電気インピーダンスを算出することを特徴としている。
【００４７】
請求項８記載の発明は、請求項１記載の身体組成推計装置に係り、前記生体電気量測定手段は、電気アドミッタンス／電気インピーダンス算出手段は、１つが５ｋＨｚ以下の低周波で、他が２００ｋＨｚ以上の高周波である２周波のプローブ電流を各周波数毎に順次生成し、生成された前記プローブ電流を被験者の体に投入して、その際に生体に印加されるプローブ電圧及び生体を流れるプローブ電流を各周波数毎に測定するものであり、前記電気アドミッタンス／電気インピーダンス測定手段は、前記測定結果に基づいて、前記低周波及び高周波の電気インピーダンス又は電気アドミッタンスを算出し、算出された前記低周波の電気インピーダンス又は電気アドミッタンスを、前記被験者の体の周波数０時の電気アドミッタンス又は電気インピーダンスであるとみなすと共に、算出された前記高周波の電気インピーダンス又は電気アドミッタンスを、前記被験者の体の周波数無限大時の電気アドミッタンス又は電気インピーダンスであるとみなすものであることを特徴としている。
【００４８】
請求項９記載の発明は、請求項１記載の身体組成推計装置に係り、前記被験者の除骨重量・脂肪重量ＬＥＡＮを与える式（２８）を構成する前記定数ａ1,ｂ1,ｃ1として、男性に対しては、ａ1＝７４．１９±２０％、ｂ1＝２６６．３２±２０％、ｃ1＝０．２４±２０％が与えられ、女性に対しては、ａ1＝１８０．５４±２０％、ｂ1＝１９８．８９±２０％、ｃ1＝０．０９９±２０％が与えられ、
かつ、前記定数ｄ1 は、式（２８）の左辺の平均値と、式（２８）の右辺の第１項乃至第３項の和の平均値との差から求められることを特徴としている。
【００４９】
請求項１０記載の発明は、請求項２記載の身体組成推計装置に係り、前記被験者の除骨重量・脂肪重量ＬＥＡＮを与える式（２９）を構成する前記定数ａ2,ｂ2,ｃ2として、６０歳未満の人に対しては、ａ2＝５００．８２±２０％、ｂ2＝−５０５９．８８±２０％、ｃ2＝０．１６±２０％が与えられ、６０歳以上の人に対しては、ａ2＝４０９．５５±２０％、ｂ2＝−５５３２．３１±２０％、ｃ2＝０．１５±２０％が与えられ、かつ、前記定数ｄ2は、式（２９）の左辺の平均値と、式（２９）の右辺の第１項乃至第３項の和の平均値との差から求められることを特徴としている。
【００５０】
請求項１１記載の発明は、請求項３記載の身体組成推計装置に係り、前記被験者の除骨重量・脂肪重量ＬＥＡＮを与える式（３０）を構成する前記定数ａ3,ｂ3,ｃ3,ｄ3として、男性に対しては、ａ3 ＝９１．０３±２０％、ｂ3 ＝２２７．３９±２０％、ｃ3 ＝０．００２４±２０％、ｄ3 ＝０．２０±２０％が与えられ、女性に対しては、ａ3＝１５７．３８±２０％、ｂ3＝１２１．７９±２０％、ｃ3＝０．００３±２０％、ｄ3＝０．０９９±２０％が与えられ、かつ、前記定数ｅ3 は、式（３０）の左辺の平均値と、式（３０）の右辺の第１項乃至第４項の和の平均値との差から求められることを特徴としている。
【００５１】
請求項１２記載の発明は、請求項４記載の身体組成推計装置に係り、前記被験者の除骨重量・脂肪重量ＬＥＡＮを与える式（３１）を構成する前記定数ａ4,ｂ4,ｃ4,ｄ4は、ａ4＝９８．５１±２０％、ｂ4＝２６１．７０±２０％、ｃ4＝０．００２８±２０％、ｄ4＝−３３２３．８６±２０％が与えられ、かつ、前記定数ｅ4 は、式（３１）の左辺の平均値と、式（３１）の右辺の第１項乃至第４項の和の平均値との差から求められることを特徴としている。
【００５２】
請求項１３記載の発明は、請求項５記載の身体組成推計装置に係り、前記被験者の除骨重量・脂肪重量ＬＥＡＮを与える式（３２）を構成する前記定数ａ5,ｂ5,ｃ5,ｄ5は、ａ5＝８５．４９±２０％、ｂ5＝２６９．０３±２０％、ｃ5＝０．１２６±２０％、ｄ5＝−４６２８．７７±２０％が与えられ、かつ、前記定数ｅ5 は、式（３２）の左辺の平均値と、式（３２）の右辺の第１項乃至第４項の和の平均値との差から求められることを特徴としている。
【００５３】
請求項１４記載の発明は、請求項６記載の身体組成推計装置に係り、前記被験者の除骨重量・脂肪重量ＬＥＡＮを与える式（３３）を構成する前記定数ａ6,ｂ6,ｃ6,ｄ6,ｅ6は、ａ6＝６８．１２±２０％、ｂ6＝２２０．４４±２０％、ｃ6＝０．００２６±２０％、ｄ6＝０．１１±２０％、ｅ6＝−３７７９．４８±２０％が与えられ、かつ、前記定数ｆ6 は、式（３３）の左辺の平均値と、式（３３）の右辺の第１項乃至第５項の和の平均値との差から求められることを特徴としている。
【００５４】
請求項１５記載の発明は、請求項１〜６のいずれか１項記載の身体組成推計装置に係り、式（２８）乃至式（３３）のいずれか１の式に基づいて、前記除骨重量・脂肪重量ＬＥＡＮを推計すると共に、式（３４）に基づいて、前記被験者の骨重量ＢＭＣを推計した後、前記被験者の体重と、式（２８）乃至（３３）のいずれか１の式から得られた前記除骨重量・脂肪重量ＬＥＡＮと、式（３４）から得られた前記骨重量ＢＭＣとに基づいて前記被験者の脂肪重量又は体脂肪率を推計することを特徴としている。
【００５５】
【数３４】
ＢＭＣ＝ｇ1ＡＧＥ＋ｈ1Ｈ＋ｉ1Ｗ＋ｊ1                    …（３４）
ｇ1,ｈ1,ｉ1,ｊ1：定数
【００５６】
請求項１６記載の発明は、請求項１〜６のいずれか１項記載の身体組成推計装置に係り、式（２８）乃至（３３）のいずれか１の式に基づいて、前記除骨重量・脂肪重量ＬＥＡＮを推計すると共に、式（３５）に基づいて、前記被験者の骨重量ＢＭＣを推計した後、前記被験者の体重と、式（２８）乃至（３３）のいずれか１の式から得られた前記除骨重量・脂肪重量ＬＥＡＮと、式（３５）から得られた前記骨重量ＢＭＣとに基づいて前記被験者の脂肪重量又は体脂肪率を推計することを特徴としている。
【００５７】
【数３５】
ＢＭＣ＝ｈ2Ｈ＋ｉ2Ｗ＋ｊ2ＳＥＸ＋ｋ2                    …（３５）
ｈ2,ｉ2,ｊ2,ｋ2：定数
【００５８】
請求項１７記載の発明は、請求項１〜６のいずれか１項記載の身体組成推計装置に係り、式（２８）乃至（３３）のいずれか１の式に基づいて、前記除骨重量・脂肪重量ＬＥＡＮを推計すると共に、式（３６）に基づいて、前記被験者の骨重量ＢＭＣを推計した後、前記被験者の体重と、式（２８）乃至（３３）のいずれか１の式から得られた前記除骨重量・脂肪重量ＬＥＡＮと、式（３６）から得られた前記骨重量ＢＭＣとに基づいて前記被験者の脂肪重量又は体脂肪率を推計することを特徴としている。
【００５９】
【数３６】
ＢＭＣ＝ｇ3ＡＧＥ＋ｈ3Ｈ＋ｉ3Ｗ＋ｊ3ＳＥＸ＋ｋ3        …（３６）
ｇ3,ｈ3,ｉ3,ｊ3,ｋ3：定数
【００６０】
請求項１８記載の発明は、請求項１５記載の身体組成推計装置に係り、前記被験者の骨重量ＢＭＣを与える式（３４）を構成する前記定数ｇ1,ｈ1,ｉ1として、男性に対しては、ｇ1＝２．１３±２０％、ｈ1＝２２．６５±２０％、ｉ1＝４６．１１±２０％で与えられ、女性に対しては、ｇ1＝−１１．３７±２０％、ｈ1＝２１．０３±２０％、ｉ1＝２０．９８±２０％で与えられ、かつ、前記定数ｊ1は、式（３４）の左辺の平均値と、右辺の第１項乃至第３項の和の平均値との差から求めたものであることを特徴としている。
【００６１】
請求項１９記載の発明は、請求項１６記載の身体組成推計装置に係り、前記被験者の骨重量ＢＭＣを与える式（３５）を構成する前記定数ｈ2,ｉ2,ｊ2として、６０歳未満の人に対しては、ｈ2＝３６．７±２０％、ｉ2＝０．０２６±２０％、ｊ2＝１０５．６６±２０％で与えられ、６０歳以上の人に対しては、ｈ2＝１７．６５±２０％、ｉ2＝０．０３７±２０％、ｊ2＝−２６２．６２±２０％で与えられ、
かつ、前記定数ｋ2は、式（３５）の左辺の平均値と、右辺の第１項乃至第３項の和の平均値との差から求めたものであることを特徴としている。
【００６２】
請求項２０記載の発明は、請求項１７記載の身体組成推計装置に係り、前記被験者の骨重量ＢＭＣを与える式（３６）を構成する前記定数ｇ3,ｈ3,ｉ3,ｊ3は、ｇ3＝−７．３３±２０％、ｈ3＝２３．４８±２０％、ｉ3＝２６．１４±２０％、ｊ3＝−６２．０５±２０％で与えられ、かつ、前記定数ｋ3 は、式（３６）の左辺の平均値と、右辺の第１項乃至第４項の和の平均値との差から求めたものであることを特徴としている。
【００６４】
【発明の実施の形態】
以下、図面を参照して、この発明の実施の形態について説明する。説明は、実施例を用いて具体的に行う。
図１は、この発明の一実施例である身体組成推計装置の電気的構成を示すブロック図、図２は、同身体組成推計装置の使用状態を模式的に示す模式図、図３は、人体のインピーダンス軌跡を示す図、図４は、人体組織の電気的等価回路図、図５は、周波数無限大時の人体組織の電気的等価回路図、図６は、同身体組成推計装置の動作手順を示すフローチャート、図７は、同身体組成推計装置における表示器の表示例を示す図、図８は、ＤＸＡにより求められた脂肪重量ＦＡＴと、同身体組成推計装置により求められた脂肪重量ＦＡＴとの相関図、また、図１７は、ＤＸＡにより求められた脂肪重量ＦＡＴと上記従来の身体組成推計装置により求められた脂肪重量ＦＡＴとの相関図である。
【００６５】
この例の身体組成推計装置４は、除骨重量・脂肪重量、体脂肪率等、被験者の体脂肪の状態等を推計する装置に係り、図１及び図２に示すように、被験者の体Ｅに測定信号としてマルチ周波のプローブ電流Ｉｂを周波数毎に流すための信号出力回路５と、被験者の体Ｅを流れるマルチ周波のプローブ電流Ｉｂを検出するための電流検出回路６と、被験者の手足間の電圧Ｖｐを検出するための電圧検出回路７と、入力装置としてのキーボード８と、出力装置としての表示器９と、装置各部を制御すると共に、各種演算処理を行うＣＰＵ（中央処理装置）１０と、ＣＰＵ１０の処理プログラムを記憶するＲＯＭ１１と、各種データを一時記憶するデータ領域及びＣＰＵ１０の作業領域が設定されるＲＡＭ１２と、測定時に被験者の手甲部Ｈａや足甲部Ｌｅの皮膚表面に導電可能に貼り付けられる４個の表面電極Ｈｐ,Ｈｃ,Ｌｐ,Ｌｃとから概略構成されている。
【００６６】
上記キーボード８は、被験者の身長、年齢、体重、性別等を入力するためのテンキーや機能キー、及び操作者（又は被験者）が測定開始／測定終了を指示するための開始／終了スイッチ等を有して構成されている。キーボード８から供給される身長データ、年齢データ、体重データ、性別データは、図示せぬキーコード発生回路でキーコードに変換されてＣＰＵ１０に供給される。ＣＰＵ１０は、コード入力された各種操作信号及び身長データ等をＲＡＭ１２のデータ領域に一時記憶する。
【００６７】
上記信号出力回路５は、ＰＩＯ（パラレル・インタフェース）５１、測定信号発生器５２及び出力バッファ５３から構成されている。測定信号発生器５２は、所定の掃引周期で、ＰＩＯ５１を介してＣＰＵ１０から信号発生指示信号ＳＧが供給されると、周波数が、例えば１ｋＨｚ〜４００ｋＨｚの範囲で、かつ、１５ｋＨｚの周波数間隔で段階変化する測定信号（電流）Ｉａを、所定の掃引回数Ｎに亘って、繰り返し生成して、出力バッファ５３に入力する。出力バッファ５３は、入力される測定信号Ｉａを定電流状態に保ちながら、マルチ周波のプローブ電流Ｉｂとして表面電極Ｈｃに送出する。この表面電極Ｈｃは、測定時、被験者の手甲部Ｈａに導電可能に貼り付けられ、これにより、１００〜８００μＡの範囲にある電流Ｉｂが被験者の体Ｅ（図２）を流れることになる。
【００６８】
上記電流検出回路６は、Ｉ／Ｖ変換器（電流／電圧変換器）６１、ＢＰＦ（バンドパスフィルタ）６２、Ａ／Ｄ変換器６３及びサンプリングメモリ６４から概略構成されている。Ｉ／Ｖ変換器６１は、被験者の体Ｅ、すなわち被験者の手甲部Ｈａ（図２）に貼り付けられた表面電極Ｈｃと足甲部Ｌｅに貼り付けられた表面電極Ｌｃとの間を流れるマルチ周波のプローブ電流Ｉｂを検出して電圧Ｖｂに変換し、変換により得られた電圧ＶｂをＢＰＦ６２に供給する。ＢＰＦ６２は、入力された電圧Ｖｂのうち、略１ｋＨｚ〜８００ｋＨｚの帯域の電圧信号のみを通して、Ａ／Ｄ変換器６３に供給する。
【００６９】
Ａ／Ｄ変換器６３は、ＣＰＵ１０が発行するデジタル変換指示に従って、アナログの入力電圧Ｖｂをデジタルの電圧信号Ｖｂに変換した後、デジタル化された電圧信号Ｖｂを電流データＶｂとして、サンプリング周期毎、測定信号Ｉａの周波数毎にサンプリングメモリ６４に格納する。また、サンプリングメモリ６４は、ＳＲＡＭから構成され、測定信号Ｉａの周波数毎に一時格納されたデジタルの電圧信号Ｖｂを、ＣＰＵ１０の求めに応じて、ＣＰＵ１０に送出する。
【００７０】
電圧検出回路７は、差動増幅器７１、ＢＰＦ（バンドパスフィルタ）７２、Ａ／Ｄ変換器７３及びサンプリングメモリ７４から構成されている。差動増幅器７１は、被験者の体Ｅ、すなわち被験者の手甲部Ｈａに貼り付けられた表面電極Ｈｐと足甲部Ｌｅに貼り付けられた表面電極Ｌｐとの間の電圧（電位差）を検出する。ＢＰＦ７２は、入力された電圧Ｖｐのうち、略１ｋＨｚ〜８００ｋＨｚの帯域の電圧信号のみを通して、Ａ／Ｄ変換器７３に供給する。
Ａ／Ｄ変換器７３は、ＣＰＵ１０が発行するデジタル変換指示に従って、アナログの入力電圧Ｖｐをデジタルの電圧信号Ｖｐに変換した後、デジタル化された電圧信号Ｖｐを電圧データＶｐとして、サンプリング周期毎、測定信号Ｉａの周波数毎にサンプリングメモリ７４に格納する。また、サンプリングメモリ７４は、ＳＲＡＭから構成され、測定信号Ｉａの周波数毎に一時格納されたデジタルの電圧信号Ｖｐを、ＣＰＵ１０の求めに応じて、ＣＰＵ１０に送出する。
なお、ＣＰＵ１０は、２つのＡ／Ｄ変換器６３，７３に対して同一のタイミングでデジタル変換指示を行う。
【００７１】
ＲＯＭ１１は、ＣＰＵ１０の処理プログラムとして、主プログラムの他、例えば、インピーダンス算出サブプログラム、インピーダンス軌跡算出サブプログラム、周波数０時・周波数無限大時アドミッタンス決定サブプログラム（以下、単に、アドミッタンス決定サブプログラムという）、除骨重量・脂肪重量推計サブプログラム、骨重量推計サブプログラム、脂肪重量推計サブプログラム、及び体脂肪率推計サブプログラム等を格納する。
各種プログラムは、ＲＯＭ１１からＣＰＵ１０に読み込まれ、ＣＰＵ１０の動作を制御する。なお、これらのサブプログラムを記録する記録媒体は、ＲＯＭ１１等の半導体メモリに限らず、磁気ディスク、磁気テープ等の磁気的メモリ、ＲＯＭやＲＡＭ等の半導体メモリ、ＣＤ−ＲＯＭ等の光磁気メモリ、光学的メモリその他の記録媒体であっても良い。
【００７２】
ここで、インピーダンス算出サブプログラムは、該サブプログラムに記述されたアルゴリズムに従って、ＣＰＵ１０に、サンプリングメモリ６４，７４に記憶された周波数毎で、かつ各周波数における掃引毎の電流データ及び電圧データを順次読み出して、各周波数についての被験者の生体電気インピーダンスを算出する処理を実行させる。
「従来の技術」欄で説明したように、細胞膜２，２，…は、容量の大きなコンデンサとみることができるため、外部から印加された電流は、周波数の低いときには、図１８に実線Ａ，Ａ，…で示すように、細胞外液３のみを流れる。しかし、周波数が高くなるにつれて、細胞膜２，２，…を通って流れる電流が増え、周波数が非常に高くなると、同図に破線Ｂ，Ｂ，…で示すように、細胞１，１，…内を通って流れるようになる。
【００７３】
インピーダンス軌跡算出サブプログラムは、記述されたアルゴリズムに従って、ＣＰＵ１０に、インピーダンス算出サブプログラムの実行で得られた各周波数についての被験者の生体電気インピーダンスに基づいて、最小二乗法の演算手法に従って、周波数０時及び周波数無限大時にまで外挿して周波数０から周波数無限大までのインピーダンス軌跡を算出する処理を実行させる。「従来の技術」欄では、人体の組織を単純な電気的等価回路（図１９）で表したが、実際の人体の組織では、いろいろな大きさの細胞が不規則に配置されているので、実際の人体のインピーダンス軌跡は、図３に実線Ｄで示すように、中心が実軸より上がった円弧となり、電気的等価回路は、図４に示すように、時定数τ＝Ｃmk／Ｙikが分布している分布定数回路で表される。なお、同図において、１／Ｙeは細胞外液抵抗、１／Ｙikは各細胞の細胞内液抵抗、Ｃmkは各細胞の細胞膜容量を示す。
【００７４】
アドミッタンス決定サブプログラムは、記述されたアルゴリズムに従って、ＣＰＵ１０に、インピーダンス軌跡算出サブプログラムの制御の下で得られたインピーダンス軌跡に基づいて、周波数０時の被験者の生体電気アドミッタンス（以下、周波数０時アドミッタンスともいう）Ｙ（０）と周波数無限大時の被験者の生体電気アドミッタンス（以下、周波数無限大時アドミッタンスともいう）Ｙ（∞）とを決定する処理を実行させる。ここで、周波数０における生体電気インピーダンスは、細胞外液抵抗と等価となるので、求められた周波数０時アドミッタンスＹ（０）は、細胞外液抵抗の逆数なのである。また、周波数無限大では、図５に示すように、細胞膜が容量性能力を失い、生体電気インピーダンスは、細胞内液抵抗と細胞外液抵抗との合成抵抗と等価（図５）になる。したがって、周波数無限大時アドミッタンスＹ（∞）は、細胞内液抵抗と細胞外液抵抗との合成抵抗の逆数なのである。
【００７５】
除骨重量・脂肪重量推計サブプログラムは、該サブプログラムに記述されたアルゴリズムに従って、ＣＰＵ１に、アドミッタンス決定サブプログラムの実行で求められた周波数０時アドミッタンスＹ（０）と、周波数無限大時アドミッタンスＹ（∞）と、キーボード８を介して入力された被験者の身長Ｈ及び体重Ｗとに基づいて、具体的には、式（３７）を用いて、「被験者の体重から骨重量及び脂肪重量を除いた重量」であると定義される除骨重量・脂肪重量ＬＥＡＮを推計する処理を実行させる。
【００７６】
【数３７】
ＬＥＡＮ＝ａ1Ｙ（０）Ｈ2＋ｂ1Ｙ（∞）Ｈ2＋ｃ1Ｗ＋ｄ1    …（３７）
ＬＥＡＮ：被験者の体の除骨重量・脂肪重量
Ｙ（０）：外挿して得られた周波数０時アドミッタンス［１／Ω］
Ｙ（∞）：外挿して得られた周波数無限大時アドミッタンス［１／Ω］
Ｈ：被験者の身長［ｃｍ］
Ｗ：被験者の体重［ｋｇ］
ａ1，ｂ1，ｃ1，ｄ1：定数
【００７７】
式（３７）は、多数の被験者について予め標本調査を実施した結果得られた除骨重量・脂肪重量ＬＥＡＮの重回帰式であり、、定数ａ1，ｂ1，ｃ1，ｄ1は、男女別に、ＤＸＡで測定した除骨重量・脂肪重量ＬＥＡＮをＹ（０）Ｈ2，Ｙ（∞）Ｈ2，Ｗの３つの説明変数で重回帰分析して求められたものであって、この例では、男性に対しては、ａ1＝７４．１９±２０％、ｂ1＝２６６．３２±２０％、ｃ1＝０．２４±２０％が与えられ、女性に対しては、ａ1＝１８０．５４±２０％、ｂ1＝１９８．８９±２０％、ｃ1＝０．０９９±２０％が与えられる。一方、定数ｄ1は、式（３７）の左辺の平均値と、式（３７）右辺の第１項乃至第３項の和の平均値との差から求められる。
【００７８】
また、骨重量推計サブプログラムは、該サブプログラムに記述されたアルゴリズムに従って、ＣＰＵ１に、キーボード８を介して入力された被験者の年齢ＡＧＥ、身長Ｈ、及び体重Ｗに基づいて、具体的には、式（３８）を用いて、被験者の骨重量ＢＭＣを推計する処理を実行させる。
【００７９】
【数３８】
ＢＭＣ＝ｇ1ＡＧＥ＋ｈ1Ｈ＋ｉ1Ｗ＋ｊ1                    …（３８）
ＡＧＥ：被験者の年齢
Ｈ：被験者の身長［ｃｍ］
Ｗ：被験者の体重［ｋｇ］
ｇ1，ｈ1，ｉ1，ｊ1：定数
式（３８）は、多数の被験者について予め標本調査を実施した結果得られた骨重量ＢＭＣの重回帰式であり、定数ｇ1，ｈ1，ｉ1，ｊ1は、男女別に、ＤＸＡで測定した骨重量ＢＭＣをＡＧＥ，Ｈ，Ｗの３つの説明変数で重回帰分析して求められたものであって、この例では、男性に対しては、ｇ1＝２．１３±２０％、ｈ1＝２２．６５±２０％、ｉ1＝４６．１１±２０％が与えられ、女性に対しては、ｇ1＝−１１．３７±２０％、ｈ1＝２１．０３±２０％、ｉ1＝２０．９８±２０％が与えられる。一方、定数ｊ1は、式（３８）の左辺の平均値と、式（３８）の右辺の第１項乃至第３項の和の平均値との差から求められる。
【００８０】
また、脂肪重量推計サブプログラムは、該サブプログラムに記述されたアルゴリズムに従って、ＣＰＵ１に、キーボード８を介し入力された被験者の体重Ｗと、除骨重量・脂肪重量推計サブプログラムの実行で得られた除骨重量・脂肪重量重量ＬＥＡＮと、骨重量推計サブプログラムの実行で得られた骨重量ＢＭＣとに基づいて、具体的には、式（３９）を用いて、被験者の脂肪重量ＦＡＴを推計する処理を実行させる。
【００８１】
【数３９】
ＦＡＴ＝Ｗ−（ＬＥＡＮ＋ＢＭＣ）                        …（３９）
Ｗ：被験者の体重［ｋｇ］
ＬＥＡＮ：被験者の体の除骨重量・脂肪重量［ｋｇ］
ＢＭＣ：被験者の骨重量［ｋｇ］
【００８２】
また、体脂肪率推計サブプログラムは、該サブプログラムに記述されたアルゴリズムに従って、ＣＰＵ１に、脂肪重量推計サブプログラムの実行で推計された脂肪重量ＦＡＴと、キーボード８を介して入力された体重Ｗとに基づいて、具体的には、式（４０）を用いて、被験者の体脂肪率％ＦＡＴを算出する処理を実行させる。
【００８３】
【数４０】
％ＦＡＴ＝１００ＦＡＴ／Ｗ                              …（４０）
【００８４】
ＲＡＭ１２のデータ領域には、さらに、インピーダンス算出サブプログラム等の実行により得られた被験者の生体電気インピーダンスを周波数毎に記憶する生体電気インピーダンス記憶領域と、周波数０時アドミッタンスＹ（０）及び周波数無限大時アドミッタンスＹ（∞）を記憶するアドミッタンス記憶領域と、キーボード８を介して入力された被験者の身長データを記憶する身長データ記憶領域と、キーボード８を介して入力された被験者の年齢を記憶する年齢データ記憶領域と、キーボード８を介して入力された被験者の体重を記憶する体重データ記憶領域と、被験者の性別を記憶する性別記憶領域と、除骨重量・脂肪重量推計サブプログラムの実行で得られた除骨重量・脂肪重量を記憶する除骨重量・脂肪重量記憶領域と、骨重量サブプログラムの実行で得られた骨重量を記憶する骨重量記憶領域と、脂肪重量推計サブプログラムの実行で得られた脂肪重量を記憶する脂肪重量記憶域と、体脂肪率推計サブプログラムの実行で得られた体脂肪率を記憶する体脂肪率記憶領域が設定される。
【００８５】
表示器９は、例えば、カラー表示が可能な液晶表示パネルからなり、キーボード８からの入力データ、例えば、被験者の身長等やＣＰＵ１０の演算結果、例えば、除骨重量・脂肪重量、骨重量、脂肪重量、体脂肪率、インピーダンス軌跡等を表示する。
【００８６】
次に、この例の動作について説明する。
まず、測定に先だって、図２に示すように、操作者（又は被験者）が、２個の表面電極Ｈｃ,Ｈｐを被験者の手甲部Ｈａに、２個の表面電極Ｌｐ,Ｌｃを被験者の同じ側の足甲部Ｌｅにそれぞれ当着する、例えば、導電クリームを介して貼り付ける。以下、貼り付ける場合について説明する。この貼り付ける表面電極のうち、表面電極Ｈｃ,Ｌｃは、それぞれマルチ周波のプローブ電流において、その周期毎に電流流入表面電極及び電流流出表面電極が入れ替わる電極として用いられるものであり、また、表面電極Ｈｐ,Ｌｐは、表面電極Ｈｃ,Ｌｃから生体へのマルチ周波のプローブ電流の投入により電圧検出部位に発生している電圧を取り出す電極である。表面電極Ｈｐ,Ｌｐは、２個の表面電極Ｈｃ,Ｌｃのうちの一方が流入表面電極になるときに該流入表面電極よりも下流側であって人体の中心に近い生体表面部位に貼り付けられる電極であり、該投入状態において他方は、電流流出表面電極よりも上流側であって人体の中心に近い生体表面部位に貼り付けられる電極である。操作者（又は被験者自身）が身体組成推計装置４のキーボード８を操作して、被験者の身長、年齢、体重、性別を入力してＲＡＭ１２の身長データ記憶領域、年齢データ記憶領域、体重データ記憶領域、性別データ記憶領域に記憶させる。
【００８７】
次に、操作者（又は被験者自身）が、キーボード８の開始／終了スイッチをオンにすると、これより、ＣＰＵ１０は、図６に示す処理の流れに従って、動作を開始する。まず、ステップＳＰ１０において、ＣＰＵ１０は、信号出力回路５の測定信号発生器５２に、信号発生指示信号ＳＧを発行する。測定信号発生器５２は、ＣＰＵ１０から信号発生指示信号ＳＧを受け取ると、駆動を開始して、全測定時間の間、所定の掃引周期毎に、周波数が、１ｋＨｚ〜４００ｋＨｚの範囲で、かつ、１５ｋＨｚの周波数間隔で段階変化する測定信号Ｉａを順次に生成して、出力バッファ５３に入力する。出力バッファ５３は、入力される測定信号Ｉａを定電流状態（１００〜８００μＡに範囲の一定値）に保ちながら、順次に周波数を異にして生成されるマルチ周波のプローブ電流Ｉｂとして表面電極Ｈｃに送出する。これにより、定電流Ｉｂが、表面電極Ｈｃから被験者の体Ｅを流れ、測定が開始される。
【００８８】
電流Ｉｂが被験者の体Ｅに供給されると、電流検出回路６のＩ／Ｖ変換器６１において、表面電極Ｈｃ,Ｌｃが貼り付けられた手足間を流れるマルチ周波のプローブ電流Ｉｂが検出され、アナログの電圧信号Ｖｂに変換された後、ＢＰＦ６２に供給される。ＢＰＦ６２では、入力された電圧信号Ｖｂの中から１ｋＨｚ〜８００ｋＨｚの帯域の電圧信号成分のみが通過を許されて、Ａ／Ｄ変換器６３へ供給される。Ａ／Ｄ変換器６３では、供給されたアナログの電圧信号Ｖｂが、デジタルの電圧信号Ｖｂに変換され、電流データＶｂとして、所定のサンプリング周期毎、測定信号Ｉａの周波数毎にサンプリングメモリ６４に記憶される。サンプリングメモリ６４では、記憶されたデジタルの電圧信号ＶｂがＣＰＵ１０の求めに応じて、ＣＰＵ１０に送出される。
一方、電圧検出回路７の差動増幅器７１において、表面電極Ｈｐ,Ｌｐが貼り付けられた手足間で生じた電圧Ｖｐが検出され、ＢＰＦ７２に供給される。ＢＰＦ７２では、入力された電圧信号Ｖｐの中から１ｋＨｚ〜８００ｋＨｚの帯域の電圧信号成分のみが通過を許されて、Ａ／Ｄ変換器７３へ供給される。Ａ／Ｄ変換器７３では、供給されたアナログの電圧信号Ｖｐが、デジタルの電圧信号Ｖｐに変換され、電圧データＶｐとして、所定のサンプリング周期毎、測定信号Ｉａの周波数毎にサンプリングメモリ７４に記憶される。サンプリングメモリ７４では、記憶されたデジタルの電圧信号ＶｐがＣＰＵ１０の求めに応じて、ＣＰＵ１０に送出される。ＣＰＵ１０は、プローブ電流Ｉａの掃引回数が、指定された掃引回数Ｎ繰り返す。
【００８９】
そして、掃引回数が指定の回数になると、ＣＰＵ１０は、測定を停止する制御を行った後、図６に示すステップＳＰ１１へ進み、これより、まず、インピーダンス算出サブプログラムを起動して、両サンプリングメモリ６４，７４に記憶された周波数毎の電流データ及び電圧データを順次読み出して、各周波数についての被験者の生体電気インピーダンス（掃引回数Ｎ回の平均値）を算出する。算出した生体電気インピーダンスをＲＡＭ１２の生体電気インピーダンス記憶領域に記憶する。なお、生体電気インピーダンスの算出には、その成分（抵抗及びリアクタンス）の算出も含まれる。次に、ＣＰＵ１０は、インピーダンス軌跡算出サブプログラムを起動して、インピーダンス算出サブプログラムの実行により得られた各周波数についての被験者の生体電気インピーダンス及びその成分（抵抗及びリアクタンス）に基づいて、最小二乗法を用いるカーブフィッティングの手法に従って、周波数０から周波数無限大にまで外挿して周波数０時から周波数無限大までのインピーダンス軌跡を算出する。このようにして算出されたインピーダンス軌跡は、図７（ａ）,（ｂ）に示すように、中心が実軸より上がった円弧となる。
【００９０】
次に、ＣＰＵ１０は、アドミッタンス決定サブプログラムに従って、インピーダンス軌跡算出サブプログラムの制御の下で得られたインピーダンス軌跡に基づいて、周波数０時アドミッタンスＹ（０）と周波数無限大時アドミッタンスＹ（∞）とを求める。ＣＰＵ１０は、求められた周波数０時アドミッタンスＹ（０）及び周波数無限大時アドミッタンスＹ（∞）をＲＡＭ１２のアドミッタンス記憶領域に記憶する。
【００９１】
次いで、ＣＰＵ１０は、除骨重量・脂肪重量推計サブプログラムの制御の下で、アドミッタンス決定サブプログラムの制御の下で算出された周波数０時アドミッタンスＹ（０）と、周波数無限大時アドミッタンスＹ（∞）と、キーボード８入力された被験者の身長Ｈとを、式（３７）に代入して、被験者の除骨重量・脂肪重量ＬＥＡＮを推計し、推計した被験者の除骨重量・脂肪重量ＬＥＡＮをＲＡＭ１２の除骨重量・脂肪重量記憶領域に格納する（ステップＳＰ１２）。
また、ＣＰＵ１０は、骨重量推計サブプログラムの制御の下で、キーボード８を介して入力された年齢ＡＧＥ、身長Ｈ、及び体重Ｗを、式（３８）に代入して、被験者の骨重量ＢＭＣを推計し、推計した骨重量ＢＭＣをＲＡＭ１２の骨重量記憶領域に格納する。
【００９２】
次に、ＣＰＵ１０は、脂肪重量推計サブプログラムの制御の下で、除骨重量・脂肪重量推計サブプログラムを起動して得られた被験者の除骨重量・脂肪重量ＬＥＡＮと、骨重量推計サブプログラムを起動して得られた骨重量ＢＭＣと、キーボード８から入力された被験者の重量Ｗとを、式（３９）に代入して、被験者の脂肪重量を推計し、推計された脂肪重量をＲＡＭ１２の脂肪重量記憶領域に格納する（ステップＳＰ１３）。
このように推計された脂肪重量ＦＡＴと、ＤＸＡにより測定された脂肪重量ＦＡＴとの相関を図８に示す。
また、比較のために、上記従来の身体組成推計装置を用いて推計された脂肪重量ＦＡＴと、ＤＸＡにより測定された脂肪重量ＦＡＴとの相関（相関係数Ｒ＝０．８７８）を、図１７に示す。図８と図１７とを比較すれば判るように、従来装置では脂肪重量ＦＡＴについての相関係数Ｒが０．８７８であるのに対して、この例の装置によれば、相関係数Ｒが０．９２５と向上する。
また、ＣＰＵ１０は、体脂肪率推計サブプログラムの制御の下で、脂肪重量推計サブプログラムの実行により得られた脂肪重量と、キーボード８から入力された被験者の体重Ｗとを、式（４０）に代入して、被験者の体脂肪率を推計し、推計された体脂肪率をＲＡＭ１２の体脂肪率記憶領域に格納する。
【００９３】
次に、ＣＰＵ１０は、ステップＳＰ１４に進んで、上述の各処理で得られた推計値、すなわち、被験者の除骨重量・脂肪重量、骨重量、脂肪重量、体脂肪率等を表示器９に表示させる。そして、一連の処理を終了する。
【００９４】
このように、この例の構成によれば、除骨重量・脂肪重量ＬＥＡＮを推計する際、被験者の体重Ｗをも考慮しているので、被験者の体脂肪の状態を一段と正確に推計できる。加えて、個人差が認められる骨重量ＢＭＣを考慮して被験者の脂肪重量が求められるので、被験者の体脂肪の状態を、さらに、一段と正確に推計できる。
【００９５】
◇第２実施例
次に、この発明の第２実施例について説明する。
この第２実施例の構成が、上述の第１実施例のそれと大きく異なるところは、上述の第１実施例では、除骨重量・脂肪重量ＬＥＡＮを推計するための説明変数として、Ｙ（０）Ｈ2、Ｙ（∞）Ｈ2、Ｗを用いたが、この例では、Ｗに代えて、被験者の性別ＳＥＸを用いるようにした点、及び、第１実施例では、骨重量ＢＭＣを推計するための説明変数として、ＡＧＥ、Ｈ、Ｗを用いたが、ＡＧＥに代えて、被験者の性別ＳＥＸを用いるようにした点である。
【００９６】
この例の除骨重量・脂肪重量推計サブプログラムは、記述されたアルゴリズムに従って、ＣＰＵ１０に、アドミッタンス決定サブプログラムの実行で得られた周波数０時アドミッタンスＹ（０）及び周波数無限大時アドミッタンスＹ（∞）と、キーボード８を介して入力された被験者の身長Ｈ及び性別ＳＥＸとに基づいて、具体的には、式（４１）を用いて、被験者の除骨重量・脂肪重量ＬＥＡＮを推計する処理を実行させる。
【００９７】
【数４１】
0003819611.tif 000007
Ｈ：被験者の身長［ｋｇ］
ＳＥＸ：被験者の性別(男性のとき１とし、女性のとき２とする)
ａ2,ｂ2,ｃ2,ｄ2：定数
【００９８】
式（４１）は、多数の被験者について予め標本調査を実施した結果得られた除骨重量・脂肪重量ＬＥＡＮの重回帰式であり、定数ａ2,ｂ2,ｃ2,ｄ2は、ＤＸＡで測定した除骨重量・脂肪重量ＬＥＡＮをＹ（０）Ｈ2，Ｙ（∞）Ｈ2，ＳＥＸの３つの説明変数で重回帰分析して求められたものであって、この例では、６０歳未満の人に対しては、ａ2＝５００．８２±２０％、ｂ2＝−５０５９．８８±２０％、ｃ2＝０．１６±２０％で与えられ、６０歳以上の人に対しては、ａ2＝４０９．５５±２０％、ｂ2＝−５５３２．３１±２０％、ｃ2＝０．１５±２０％で与えられる。一方、定数ｄ2 は、式（４１）の左辺の平均値と、式（４１）の右辺の第１項乃至第３項の和の平均値との差から求められる。
【００９９】
また、この例の骨重量推計サブプログラムは、記述されたアルゴリズムに従って、ＣＰＵ１０に、キーボード８を介して入力された被験者の、身長Ｈ、体重Ｗ、性別ＳＥＸに基づいて、具体的には、式（４２）を用いて、被験者の骨重量ＢＭＣを推計する処理を実行させる。
【０１００】
【数４２】
ＢＭＣ＝ｈ2Ｈ＋ｉ2Ｗ＋ｊ2ＳＥＸ＋ｋ2                    …（４２）
Ｈ：被験者の身長
ＳＥＸ：被験者の性別（男性のときＳＥＸ＝１とし、女性のときＳＥ  Ｘ＝２とする）
Ｗ：被験者の体重
ｈ2,ｉ2,ｊ2,ｋ2：定数
【０１０１】
式（４２）は、多数の被験者について予め標本調査を実施した結果得られた骨重量ＢＭＣの重回帰式であり、定数ｈ2,ｉ2,ｊ2,ｋ2は、ＤＸＡで測定した骨重量ＢＭＣをＨ，Ｗ，ＳＥＸの３つの説明変数で重回帰分析して求められたものであって、この例では、６０歳未満の人に対しては、ｈ2＝３６．７±２０％、ｉ2＝０．０２６±２０％、ｊ2＝１０５．６６±２０％で与えられ、６０歳以上の人に対しては、ｈ2＝１７．６５±２０％、ｉ2＝０．０３７±２０％、ｊ2＝−２６２．６２±２０％で与えられる。
一方、定数ｋ2は、式（４２）の左辺の平均値と、式（４２）の右辺の第１項乃至第３項の和の平均値との差から求める。
【０１０２】
上記以外の点では、第１実施例と略同様の構成である。それゆえ、上述の第１実施例と略同様な構成及び動作については、説明を省略する。
【０１０３】
このように、この実施例において、６０歳未満と６０歳以上とで別々の式を用意したのは、一般に、成人と老人とでは、体重当たりの平均体水分量が異なるため、脂肪重量ＦＡＴを同じ式から求めれば誤差が含まれる可能性があるためである。
【０１０４】
この例の身体組成推計装置により推計した６０才未満の若年の人の骨重量ＢＭＣと、ＤＸＡにより測定した６０才未満の若年の人の骨重量ＢＭＣとの相関を図９に示す。また、この例の身体組成推計装置により推計した６０才以上の老人の骨重量ＢＭＣと、ＤＸＡにより測定した６０才以上の老人の骨重量ＢＭＣとの相関を図１０に示す。また、この例の身体組成推計装置により推計した６０才未満の若年の人の脂肪重量ＦＡＴと、ＤＸＡにより測定した６０才未満の若年の人の脂肪重量ＦＡＴとの相関を図１１に示す。また、この例の身体組成推計装置により推計した６０才以上の老人の脂肪重量ＦＡＴと、ＤＸＡにより測定した６０才以上の老人の脂肪重量ＦＡＴとの相関を図１２に示す。
このように、６０歳を境に式（４２）を使い分けることにより、６０才未満では骨重量ＢＭＣの相関係数Ｒが０．８７３でしかなかったのが、６０歳以上では０．８９７と向上していることが読み取れ、また、図１１と図１２との比較から明らかなように、６０歳を境に式（４１），（４２）を使い分けることにより、脂肪重量ＦＡＴの相関係数Ｒが６０才未満では０．８９９でしかなったのが、６０歳以上では０．９１２と向上していることが読み取れる。
【０１０５】
このように、この実施例の構成によれば、６０歳未満と６０歳以上とで別々の式を用いるので、一段と正確に身体組成を評価できる。加えて、除脂肪重量の７３．２％が全身の水分量といわれているが、除脂肪重量が一段と正確に求められるので、全身の水分量の推定も一段と正確になる。
【０１０６】
◇第３実施例
次に、この発明の第３実施例について説明する。
この第３実施例の構成が、上述の第１実施例のそれと大きく異なるところは、上述の第１実施例では、除骨重量・脂肪重量ＬＥＡＮを推計するための説明変数として、Ｙ（０）Ｈ2、Ｙ（∞）Ｈ2、Ｗを用いたが、この例では、さらに、被験者の身長Ｈの３乗の項も説明変数に加えた点である。
【０１０７】
この例の除骨重量・脂肪重量推計サブプログラムは、該サブプログラムに記述されたアルゴリズムに従って、アドミッタンス決定サブプログラムの制御の下で得られた周波数０時アドミッタンスＹ（０）及び周波数無限大時アドミッタンスＹ（∞）と、キーボード８を介して入力された被験者の身長Ｈ及び体重Ｗとに基づいて、具体的には、式（４３）を用いて、被験者の除骨重量・脂肪重量ＬＥＡＮを推計する処理を実行する。
【０１０８】
【数４３】
0003819611.tif 000008
ａ3,ｂ3,ｃ3,ｄ3,ｅ3：定数
式（４３）は、多数の被験者について予め標本調査を実施した結果得られた除骨重量・脂肪重量ＬＥＡＮの重回帰式であり、定数ａ3,ｂ3,ｃ3,ｄ3,ｅ3は、男女別に、ＤＸＡで測定した除骨重量・脂肪重量ＬＥＡＮをＹ（０）Ｈ2，Ｙ（∞）Ｈ2，Ｈ3 ，Ｗの４つの説明変数で重回帰分析して求められたものであって、この例では、男性に対しては、ａ3 ＝９１．０３±２０％、ｂ3 ＝２２７．３９±２０％、ｃ3 ＝０．００２４±２０％、ｄ3 ＝０．２０±２０％で与えられ、女性に対しては、ａ3＝１５７．３８±２０％、ｂ3＝１２１．７９±２０％、ｃ3＝０．００３±２０％、ｄ3＝０．０９９±２０％で与えられる。一方、定数ｅ3 は、式（４３）の左辺の平均値と、式（４３）の右辺の第１項乃至第４項の和の平均値との差から求める。
なお、この例で用いる骨重量推計サブプログラムの実行で骨重量ＢＭＣを推計する式は、第１実施例の式（３８）と同一であり、したがって、定数も第１実施例の式（３８）の定数と同じである。
【０１０９】
このようにして推計された脂肪重量ＦＡＴと、ＤＸＡにより測定した脂肪重量ＦＡＴとの相関を図１３に示す。図１３と図１７との比較から明らかなように、この例の身体組成推計装置の構成によれば、脂肪重量ＦＡＴの相関係数Ｒが０．８７８から０．９４へ向上する。
【０１１０】
◇第４実施例
次に、この発明の第４実施例について説明する。
この第４実施例の構成が、上述の第１実施例のそれと大きく異なるところは、上述の第１実施例では、除骨重量・脂肪重量ＬＥＡＮを推計するための説明変数として、Ｙ（０）Ｈ2、Ｙ（∞）Ｈ2、Ｗを用いたが、この例では、Ｗに代えて、被験者の身長Ｈの３乗及び性別ＳＥＸを用いるようにした点、及び、第１実施例では、骨重量ＢＭＣを推計するための説明変数として、ＡＧＥ、Ｈ、Ｗを用いたが、この例では、さらに、被験者の性別ＳＥＸを説明変数加えた点である。
【０１１１】
この例の除骨重量・脂肪重量推計サブプログラムは、該サブプログラムに記述されたアルゴリズムに従って、ＣＰＵ１０に、アドミッタンス決定サブプログラムの実行で得られた周波数０時アドミッタンスＹ（０）及び周波数無限大時アドミッタンスＹ（∞）と、キーボード８を介して入力された被験者の身長Ｈ及び性別ＳＥＸとに基づいて、具体的には、式（４４）を用いて、被験者の除骨重量・脂肪重量ＬＥＡＮを推計する処理を実行させる。
【０１１２】
【数４４】
0003819611.tif 000009
ＳＥＸ：被験者の性別(男性のとき１とし、女性のとき２とする)
ａ4,ｂ4,ｃ4,ｄ4,ｅ4：定数
【０１１３】
式（４４）は、多数の被験者について予め標本調査を実施した結果得られた除骨重量・脂肪重量ＬＥＡＮの重回帰式であり、定数ａ4 ，ｂ4 ，ｃ4 ，ｄ4 ,ｅ4は、ＤＸＡで測定した除骨重量・脂肪重量ＬＥＡＮをＹ（０）Ｈ2，Ｙ（∞）Ｈ2，Ｈ3 ，ＳＥＸの４つの説明変数で重回帰分析して求められたものであって、この例では、ａ4＝９８．５１±２０％、ｂ4＝２６１．７０±２０％、ｃ4＝０．００２８±２０％、ｄ4＝−３３２３．８６±２０％で与えられる。一方、定数ｅ4は、式（４４）の左辺の平均値と、式（４４）の右辺の第１項乃至第４項の和の平均値との差から求める。
【０１１４】
また、この例の骨重量推計サブプログラムは、該サブプログラムに記述されたアルゴリズムに従って、ＣＰＵ１０に、キーボード８を介して入力された被験者の年齢ＡＧＥ、身長Ｈ、体重Ｗ、性別ＳＥＸに基づいて、具体的には、式（４５）を用いて、被験者の骨重量ＢＭＣを推計する処理を実行させる。
【０１１５】
【数４５】
ＢＭＣ＝ｇ3ＡＧＥ＋ｈ3Ｈ＋ｉ3Ｗ＋ｊ3ＳＥＸ＋ｋ3          …（４５）
ｇ3,ｈ3,ｉ3,ｊ3,ｋ3：定数
【０１１６】
式（４５）は、多数の被験者について予め標本調査を実施した結果得られた骨重量ＢＭＣの重回帰式であり、定数ｇ3,ｈ3,ｉ3,ｊ3,ｋ3は、ＤＸＡで測定した骨重量ＢＭＣをＡＧＥ，Ｈ，Ｗ，ＳＥＸの４つの説明変数で重回帰分析して求められたものであって、この例では、ｇ3＝−７．３３±２０％、ｈ3＝２３．４８±２０％、ｉ3＝２６．１４±２０％、ｊ3＝−６２．０５±２０％で与えられる。一方、定数ｋ3は、式（４５）の左辺の平均値と、式（４５）の右辺の第１項乃至第４項の和の平均値との差から求められる。
【０１１７】
このようにして推計された脂肪重量ＦＡＴと、ＤＸＡにより測定した脂肪重量ＦＡＴとの相関を図１４に示す。図１４と図１７との比較から明らかなように、この例の身体組成推計装置によって求められる脂肪重量ＦＡＴの相関係数Ｒは、従来の０．８７８から０．９３３に向上している。
【０１１８】
◇第５実施例
次に、この発明の第５実施例について説明する。
この第５実施例では、除骨重量・脂肪重量ＬＥＡＮを推計するための説明変数として、Ｙ（０）Ｈ2、Ｙ（∞）Ｈ2、体重Ｗの他に、被験者の性別ＳＥＸも加え、また、骨重量ＢＭＣを推計するための説明変数にも、ＡＧＥ、Ｈ、Ｗの他、被験者の性別ＳＥＸを加えている。
この例の除骨重量・脂肪重量推計サブプログラムは、該サブプログラムに記述されたアルゴリズムに従って、ＣＰＵ１に、アドミッタンス決定サブプログラムの実行で得られた周波数０時アドミッタンスＹ（０）及び周波数無限大時アドミッタンスＹ（∞）と、キーボード８を介して入力された被験者の身長Ｈ、体重Ｗ及び性別ＳＥＸとに基づいて、具体的には、式（４６）を用いて除骨重量・脂肪重量を推計する処理を実行させる。
【０１１９】
【数４６】
0003819611.tif 000010
ＳＥＸ：被験者の性別(男性のとき１とし、女性のとき２とする)
ａ5,ｂ5,ｃ5,ｄ5,ｅ5：定数
【０１２０】
式（４６）は、多数の被験者について予め標本調査を実施した結果得られた除骨重量・脂肪重量ＬＥＡＮの重回帰式であり、定数ａ5,ｂ5,ｃ5,ｄ5,ｅ5は、ＤＸＡで測定した除骨重量・脂肪重量ＬＥＡＮをＹ（０）Ｈ2，Ｙ（∞）Ｈ2，Ｗ，ＳＥＸの４つの説明変数で重回帰分析して求められたものであって、この例では、ａ5＝８５．４９±２０％、ｂ5＝２６９．０３±２０％、ｃ5＝０．１２６±２０％、ｄ5＝−４６２８．７７±２０％で与えられる。一方、定数ｅ5は、式（４６）の左辺の平均値と、式（４６）の右辺の第１項乃至第４項の和の平均値との差から求める。
なお、この例で用いる骨重量推計サブプログラムの実行により骨重量ＢＭＣを推計する式は、第４実施例の式（４５）と同一であり、したがって、定数も第４実施例の式（４５）の定数と同じである。
【０１２１】
このようにして推計した脂肪重量ＦＡＴと、ＤＸＡにより測定した脂肪重量ＦＡＴとの相関を図１５に示す。図１５と図１７との比較から明らかなように、この例の身体組成推計装置によって求められる脂肪重量ＦＡＴの相関係数Ｒは、従来の０．８７８から０．９２１に向上している。
【０１２２】
◇第６実施例
次に、この発明の第６実施例について説明する。
この第６実施例では、除骨重量・脂肪重量ＬＥＡＮを推計するための説明変数として、Ｙ（０）Ｈ2 、Ｙ（∞）Ｈ2 、体重Ｗ、被験者の身長Ｈの３乗及び性別ＳＥＸを用いた点、また、骨重量ＢＭＣを推計するための説明変数にも、ＡＧＥ、Ｈ、Ｗの他、被験者の性別ＳＥＸを加えている。
この例の除骨重量・脂肪重量推計サブプログラムは、記述されたアルゴリズムに従って、アドミッタンス決定サブプログラムの実行で得られた周波数０時アドミッタンスＹ（０）及び周波数無限大時アドミッタンスＹ（∞）と、キーボード８を介して入力された被験者の身長Ｈ、体重Ｗ、及び性別ＳＥＸとに基づいて、具体的には、式（４７）を用いて、被験者の除骨重量・脂肪重量ＬＥＡＮを推計する処理を実行する。
【０１２３】
【数４７】
0003819611.tif 000011
ａ6,ｂ6,ｃ6,ｄ6,ｅ6,ｆ6：定数
【０１２４】
式（４７）は、多数の被験者について予め標本調査を実施した結果得られた除骨重量・脂肪重量ＬＥＡＮの重回帰式であり、定数ａ6,ｂ6,ｃ6,ｄ6,ｅ6,ｆ6は、ＤＸＡで測定した除骨重量・脂肪重量ＬＥＡＮをＹ（０）Ｈ2，Ｙ（∞）Ｈ2，Ｈ3 ，Ｗ，ＳＥＸの５つの説明変数で重回帰分析して求められたものであって、この例では、ａ6＝６８．１２±２０％、ｂ6＝２２０．４４±２０％、ｃ6＝０．００２６±２０％、ｄ6＝０．１１±２０％、ｅ6＝−３７７９．４８±２０％で与えられる。一方、定数ｆ6は、式（４７）の左辺の平均値と、式（４７）の右辺の第１項乃至第５項の和の平均値との差から求められる。
なお、この例で用いる骨重量推計サブプログラムの実行により骨重量ＢＭＣを推計する式は、第４実施例の式（４５）と同一であり、したがって、定数も第２実施例の式（４５）の定数と同じである。
【０１２５】
このようにして推計された脂肪重量ＦＡＴと、ＤＸＡにより測定した脂肪重量ＦＡＴとの相関を図１６に示す。図１６と図１７との比較から明らかなように、この例の身体組成推計装置によって求められる脂肪重量ＦＡＴの相関係数Ｒは、従来の０．８７８から０．９３４に向上している。
【０１２６】
以上、この発明の実施例を図面により詳述してきたが、具体的な構成はこの実施例に限られるものではなく、この発明の要旨を逸脱しない範囲の設計の変更等があってもこの発明に含まれる。
例えば、各種身体組成推計式の回帰係数等の数値は、上述の実施例のものに限らず、必要に応じて、変更可能である。
また、上述の実施例では、４個の表面電極Ｈｃ，Ｈｐ，Ｌｃ，Ｌｐのうち、２個の表面電極Ｈｃ，Ｈｐを被験者Ｅの手甲部Ｈａに、残り２個の表面電極Ｌｃ，Ｌｐを被験者Ｅの足甲部Ｌｅに、貼り付けるようにしたが、これに限らず、例えば、各２個ずつ、左右の脚又は手に取り付けるようにしても良い。
また、測定信号（電流）Ｉａの周波数範囲は、１ｋＨｚ〜４００ｋＨｚに限定されない。同様に、周波数の数も複数である限り任意である。また、生体電気インピーダンスを算出した後に、生体電気アドミッタンスを算出する例を示したが、生体電気アドミッタンスを直接算出するようにしても良く、これには、インピーダンス軌跡を算出する代わりに、アドミッタンス軌跡の算出が用いられる。
【０１２７】
また、上述の実施例では、最小二乗法によるカーブフィッティングの手法を用いて、周波数０時及び無限大時の生体電気インピーダンスを求めるようにしたが、これに限らず、浮遊容量や外来ノイズの影響を他の手段により回避できる場合には、例えば、２周波数（５ｋＨｚ以下の低周波と、２００ｋＨｚ以上の高周波）のプローブ電流を生成して被験者に投入し、被験者の体の低周波時の生体電気インピーダンス／アドミッタンスを周波数０時の生体電気インピーダンス／アドミッタンスとみなすと共に、被験者の体の高周波時の生体電気インピーダンス／アドミッタンスを周波数無限大時の生体電気インピーダンス／アドミッタンスとみなすようにしても良い。
また、出力装置は、表示器に限らず、プリンタを用いても良い。
また、上述の実施例における生体電気インピーダンスの測定に、定電流方式でプローブ電流を生体に投入する例を説明したが、定電圧方式でプローブ電流を生体に投入するようにしても良い。
【０１２８】
【発明の効果】
以上説明したように、この発明の構成によれば、「前記被験者の体重から脂肪重量及び骨重量を除いた重量」であると定義される除骨重量・脂肪重量ＬＥＡＮを推計する際、被験者の体重Ｗや性別ＳＥＸが考慮され、あるいは、身長Ｈの３乗の項までが考慮されるので、被験者の体脂肪の状態を正確に推計できる。
【０１２９】
また、個人差が認められる骨重量ＢＭＣを考慮して、被験者の脂肪重量が求められるので、被験者の体脂肪の状態を、さらに、一段と正確に推計できる。
【図面の簡単な説明】
【図１】この発明の第１実施例である身体組成推計装置の電気的構成を示すブロック図である。
【図２】同身体組成推計装置の使用状態を模式的に示す模式図である。
【図３】人体のインピーダンス軌跡を示す図である。
【図４】組織内細胞の電気的等価回路図である。
【図５】周波数無限大時の組織内細胞の電気的等価回路図である。
【図６】同身体組成推計装置の動作処理手順を示すフローチャートである。
【図７】同身体組成推計装置における表示器のインピーダンス軌跡の表示例を示す図である。
【図８】同身体組成推計装置で求められた脂肪重量ＦＡＴと、ＤＸＡにより求められた脂肪重量ＦＡＴとの相関図である。
【図９】この発明の第２実施例である身体組成推計装置の推計性能を示すための図で、具体的には、６０歳未満の若年の人を推計対象とした場合の、同身体組成推計装置で求められた骨重量ＢＭＣと、ＤＸＡにより求められた骨重量ＢＭＣとの相関図である。
【図１０】同身体組成推計装置の推計性能を示すための図で、具体的には、６０歳以上の老人を推計対象とした場合の、同身体組成推計装置で求められた骨重量ＢＭＣと、ＤＸＡにより求められた骨重量ＢＭＣとの相関図である。
【図１１】同身体組成推計装置の推計性能を示すための図で、具体的には、６０歳未満の若年の人を推計対象とした場合の、同身体組成推計装置で求められた脂肪重量ＦＡＴと、ＤＸＡにより求められた脂肪重量ＦＡＴとの相関図である。
【図１２】同身体組成推計装置の推計性能を示すための図で、具体的には、６０歳以上の老人を推計対象とした場合の、同身体組成推計装置で求められた脂肪重量ＦＡＴと、ＤＸＡにより求められた脂肪重量ＦＡＴとの相関図である。
【図１３】この発明の第３実施例である身体組成推計装置の推計性能を示すための図で、具体的には、同身体組成推計装置で求められた脂肪重量ＦＡＴと、ＤＸＡにより求められた脂肪重量ＦＡＴとの相関図である。
【図１４】この発明の第４実施例である身体組成推計装置の推計性能を示すための図で、具体的には、同身体組成推計装置で求められた脂肪重量ＦＡＴと、ＤＸＡにより求められた脂肪重量ＦＡＴとの相関図である。
【図１５】この発明の第５実施例である身体組成推計装置の推計性能を示すための図で、具体的には、同身体組成推計装置で求められた脂肪重量ＦＡＴと、ＤＸＡにより求められた脂肪重量ＦＡＴとの相関図である。
【図１６】この発明の第６実施例である身体組成推計装置の推計性能を示すための図で、具体的には、同身体組成推計装置で求められた脂肪重量ＦＡＴと、ＤＸＡにより求められた脂肪重量ＦＡＴとの相関図である。
【図１７】ＤＸＡにより求められた脂肪重量ＦＡＴと、従来の身体組成推計装置で求められた脂肪重量ＦＡＴとの相関図である。
【図１８】人体の組織内細胞を模式的に示す模式図である。
【図１９】組織内細胞の電気的等価回路図である。
【符号の説明】
４      身体組成推計装置
５      信号出力回路（生体電気量測定手段の一部）
５２      測定信号発生器
５３      出力バッファ
６      電圧検出回路（生体電気量測定手段の一部）
６１      Ｉ／Ｖ変換器
６２      ＢＰＦ
６３      Ａ／Ｄ変換器
６４      サンプリングメモリ
７      電圧検出回路（生体電気量測定手段の一部）
７１      差動増幅器
７２      ＢＰＦ
７３      Ａ／Ｄ変換器
７４      サンプリングメモリ
８      キーボード（入力手段）
１０      ＣＰＵ（生体電気量測定手段、電気アドミッタンス／電気インピーダンス算出手段、除骨重量・脂肪重量推計手段、脂肪重量／体脂肪率推計手段）
１１      ＲＯＭ
１２      ＲＡＭ
Ｈｃ，Ｈｐ，Ｌｃ，Ｌｐ      表面電極
Ｅ        被験者の体
Ｈａ      被験者の手甲部
Ｌｅ      被験者の足甲部
Ｉａ      測定信号
Ｉｂ      マルチ周波のプローブ電流
Ｖｐ      被験者の手足間の電圧
【図１】
0003819611.tif 000012
【図２】
0003819611.tif 000013
【図３】
0003819611.tif 000014
【図４】
0003819611.tif 000015
【図５】
0003819611.tif 000016
【図６】
0003819611.tif 000017
【図７】
0003819611.tif 000018
【図８】
0003819611.tif 000019
【図９】
0003819611.tif 000020
【図１０】
0003819611.tif 000021
【図１１】
0003819611.tif 000022
【図１２】
0003819611.tif 000023
【図１３】
0003819611.tif 000024
【図１４】
0003819611.tif 000025
【図１５】
0003819611.tif 000026
【図１６】
0003819611.tif 000027
【図１７】
0003819611.tif 000028
【図１８】
0003819611.tif 000029
【図１９】
0003819611.tif 000030